(57)【要約】ハイブリッド車の変速機におけるギヤ比の変更を制御する方法。この方法は、車両のホイールに向かう、様々な変速比における、いくつかのアクチュエータからのトルクを、少なくとも２つのカップリング（Ｃ１、Ｃ３）が、選択モータ（Ｍｓ）により、第１の方向（Ｙ）に、２つの平行なギヤシフトラインの間を、それらの１つを選択するために、及び、ギヤシフトモータ（Ｍｅ）により、第１の方向と直交する第２の方向（Ｘ）に、中間ニュートラル位置を経由することにより２つのギヤ比の一方又は他方と噛み合うように、移動可能な共通フィンガ（１０）により制御される、いくつかの爪カップリング（Ｃ１、Ｃ２、Ｃ３）の制御の下で組み合わせ、フィンガ（１０）により制御されるカップリング（Ｃ１）の爪の（Ｘ）に沿う軸位置に関して、信頼できる情報が利用可能でない場合に、−ギヤシフトアクチュエータ（Ｍｓ）が、ニュートラル位置へと開ループ制御され、及び、−制御フィンガ（１０）の選択アクチュエータ（Ｍｓ）が、選択位置へと、定められた期間にわたって作動する、ことを特徴とする。【選択図】図５
2020509962.tif 000002
【特許請求の範囲】
【請求項１】
ハイブリッド車の変速機におけるギヤ比の変更を制御する方法であって、車両のホイールに向かう、様々な変速比での、いくつかのアクチュエータからのトルクをいくつかの爪カップリング（Ｃ１、Ｃ２、Ｃ３）の制御の下で組み合わせる方法であって、前記いくつかの爪カップリング（Ｃ１、Ｃ２、Ｃ３）のうち少なくとも２つのカップリング（Ｃ１、Ｃ３）が、２つの平行なギヤシフトラインの間を、それらの１つを選択するために第１の方向（Ｙ）について選択モータ（Ｍｓ）により移動可能であり、及び、中間ニュートラル位置を経由することにより２つのギヤの一方又は他方と係合するために前記第１の方向と直交する第２の方向（Ｘ）についてギヤシフトモータ（Ｍｅ）により移動可能である共通フィンガ（１０）により制御され、前記フィンガ（１０）により制御される１つのカップリング（Ｃ１）の前記爪の前記第２の方向（Ｘ）に沿う軸位置に関して、信頼できる情報が利用可能でない場合に、
−ギヤシフトアクチュエータ（Ｍｓ）を、ニュートラル位置へと開ループ制御することにより、及び
−共通制御フィンガ（１０）の選択アクチュエータ（Ｍｓ）を、選択位置へと、所与の期間にわたって作動させることにより、
一次爪（Ｃ１）が、各新たなギヤ比解除命令において常にニュートラルであることがチェックされることを特徴とする方法。
【請求項２】
−所望する選択位置に、前記期間の終わりに到達すると、一次カップリング（Ｃ１）のニュートラル位置もまた確定された後に、前記変速機の前記ギヤ比のすべてが承認され、及び
−前記所望する選択位置に、前記期間の前記終わりに到達していないと、前記一次カップリング（Ｃ１）の前記ニュートラル位置が依然として不定である場合に、選択ガイダンスが停止し、前記カップリング（Ｃ１、Ｃ３）により噛み合う前記ギヤ比がどれも承認されないことを特徴とする、請求項１に記載の制御方法。
【請求項３】
前記期間は、ギヤ比からニュートラルへの、前記一次爪の移動の実行時間、そしてこれに加えて安全マージンを含むことを特徴とする、請求項１又は２に記載の制御方法。
【請求項４】
一次カップリング（Ｃ１）の軸位置測定信号の状態が不良である場合に、前記カップリングの位置が不定であるとみなされることを特徴とする、請求項１、２、又は３に記載の制御方法。
【請求項５】
ハイブリッド車の変速機におけるギヤ比の変更を制御するデバイスであって、中実一次シャフト（５）に接続された内燃機関（１）からのトルクと、前記中実一次シャフト（５）に同心の中空一次シャフト（６）に接続された主電気機械（３）からのトルクと、前記中実及び中空一次シャフト（５、６）へのトランスファシャフト（８）に接続された二次電気機械（４）からのトルクとを、車両のホイールに向かう共通出力シャフト上にて、前記中実一次シャフト（５）、二次シャフト（６）、及び前記トランスファシャフト（８）の上にそれぞれ配置された３つの爪カップリング（Ｃ１、Ｃ２、Ｃ３）であって、第１のカップリング（Ｃ１）及び第３のカップリング（Ｃ３）が、２つの平行なギヤシフトラインの間を第１の方向（Ｙ）について選択モータ（Ｍｓ）により移動可能であり、及び、選択したライン上の２つのギヤの一方又は他方と係合するために前記第１の方向と直交する第２の方向（Ｘ）についてギヤシフトモータ（Ｍｅ）により移動可能なフィンガ（１０）により制御される、３つの爪カップリング（Ｃ１、Ｃ２、Ｃ３）の制御の下で組み合わせるデバイスであって、１つのカップリング（Ｃ１）の前記爪の前記第２の方向（Ｘ）に沿う軸位置に関して、信頼できる情報が利用可能でない場合に、
−ギヤシフトアクチュエータ（Ｍｓ）を、ニュートラル位置へと開ループ制御することにより、及び
−選択アクチュエータ（Ｍｓ）を、選択位置へと、所与の期間にわたって作動させることにより、
一次爪（Ｃ１）が、各新たなギヤ比解除命令において常にニュートラルであることがチェックされることを特徴とするデバイス。
【請求項６】
−所望する選択位置に、前記期間の終わりに到達すると、一次カップリング（Ｃ１）のニュートラル位置もまた確定された後に、前記変速機の前記ギヤ比のすべてが承認され、及び
−前記所望する選択位置に、前記期間の前記終わりに到達していないと、前記カップリング（Ｃ１）の前記ニュートラル位置が依然として不定である場合に、選択ガイダンスが停止し、同フィンガにより制御される前記カップリング（Ｃ１、Ｃ３）により噛み合う前記ギヤ比がどれも承認されないことを特徴とする、請求項５に記載の制御デバイス。
【請求項７】
前記期間は、前記内燃機関のギヤ比からニュートラルへの、前記一次爪の移動の実行時間、そしてこれに加えて安全マージンを含むことを特徴とする、請求項５又は６に記載の制御デバイス。
【請求項８】
一次カップリング（Ｃ１）の軸位置測定信号の状態が不良である場合に、前記カップリングの位置が不定であるとみなされることを特徴とする、請求項５から７のいずれか一項に記載の制御デバイス。
【発明の詳細な説明】
【技術分野】
【０００１】
本発明は、自動変速機の制御、特に、ディファレンシャルを用いての、様々な変速比での、車両のホイールに向かう、いくつかのアクチュエータ（内燃機関及び電気機械）からのトルクを組み合わせる、ハイブリッド車のパワートレインに関する。
【０００２】
本発明は、この種類の変速機に適用する。この変速機では、ギヤ比の噛み合い及び噛み合い解除は、シンクロナイザなく案内される爪カップリングシステムにより行われる。シャフト上を軸方向に移動可能な爪は、軸方向に固定されている、このシャフト上を自由に回転するピニオンに強固に接続された爪に向けて、制御フォークを用いて案内され、トルクをホイールに伝えるために、シャフト及びピニオンと係合する。
【０００３】
より具体的には、この発明は、ハイブリッド車の変速機におけるギヤ比の変更を制御する方法に関する。この方法は、車両のホイールに向かう、様々な変速比での、いくつかのアクチュエータからのトルクを、いくつかの爪カップリングの制御の下で組み合わせる。様々な爪カップリングの少なくとも２つのカップリングは、選択モータにより、第１の方向（Ｙ）に、２つの平行なギヤシフトラインの間を、それらの１つを選択するために、及び、ギヤシフトモータにより、第１の方向と直交する第２の方向（Ｘ）に、中間ニュートラル位置を経由することにより２つのギヤの一方又は他方と噛み合うように、移動可能な共通フィンガにより制御される。
【０００４】
本発明はまた、ハイブリッド車の変速機におけるギヤ比の変更を制御するデバイスにも関する。このデバイスは、中実一次シャフトに接続された内燃機関からのトルクと、中実一次シャフトに同心の中空一次シャフトに接続された主電気機械からのトルクと、中実及び中空一次シャフトへのトランスファシャフトに接続された二次電気機械からのトルクとを、車両のホイールに向かう共通出力シャフト上にて、中実一次シャフト、二次シャフト、及びトランスファシャフトの上にそれぞれ配置された３つの爪カップリングの制御の下で組み合わせる。第１のカップリング及び第３のカップリングは、選択モータにより、第１の方向に、２つの平行なギヤシフトラインの間を、及び、ギヤシフトモータにより、第１の方向と直交する第２の方向に、２つのギヤ比の一方又は他方と噛み合うように、移動可能な共通フィンガにより制御される。
【背景技術】
【０００５】
ここで引用可能なフランス特許第３００７６９６号は、３つのシャフト及び２つの電気機械を有する、３つの爪カップリングシステムを用いる、ハイブリッド変速機アーキテクチャを記載する。そのガイダンスは、それらのそれぞれの、噛み合った状態又は噛み合いが解除された状態の信頼できる知識を必要とする。
【０００６】
移動可能な爪及びフォークの作動システムのガイダンスは、固定された爪及びアイドラギヤと関連して、フォーク又は移動可能な爪の正確な位置についての、連続するフィードバックを必要とする。フォーク又は爪の位置情報は通常、位置センサにより送られる。
【０００７】
フランス特許第３０３０００５号は、案内付きカップリングシステム式のハイブリッドパワートレイン変速機における、移動可能な爪の噛み合い解除限度位置を制御する方法を開示する。この方法によると、爪の位置の値は、爪制御フォークの位置を測定するセンサから取得される。
【０００８】
センサが故障すると、作動システムのガイダンスが中断するリスクがある。これらの状況を踏まえ、運転者に対するパワートレインの可用性の維持が求められる。
【発明の概要】
【０００９】
本発明の目的は、爪制御フォークの位置センサの故障がない場合に、又は、故障がある場合に、変速機のドライブラインがニュートラル状態にあることを確定することである。
【００１０】
この目的のために、本発明は、共通フィンガにより制御されるカップリングの爪の（Ｘ）に沿う軸位置に関して、信頼できる情報が利用可能でない場合に、以下を提示する：
−ギヤシフトアクチュエータ（Ｍｓ）を、ニュートラル位置へと開ループ制御させる、及び
−共通フィンガの選択アクチュエータ（Ｍｓ）を、選択位置へと、所与の期間にわたって作動させる。
好ましくは：
−所望する選択位置に、期間の終わりに到達すると、一次カップリングのニュートラル位置もまた確定された後に、変速機のギヤ比のすべてが承認される、及び
−所望する選択位置に、期間の終わりに到達していないと、一次カップリングのニュートラル位置が依然として不定である場合に、選択ガイダンスが停止し、カップリングにより噛み合うギヤ比がどれも承認されない。
【００１１】
本発明は、以下の添付図面を参照し、以下の、本発明の非限定の実施形態の説明を読むことにより、よく理解されるであろう。
【図面の簡単な説明】
【００１２】
【図１】図１は、ハイブリッドパワートレインの簡略レイアウト図である。
【図２】図２は、同ハイブリッドパワートレインの簡略レイアウト図である。
【図３】図３は、同ハイブリッドパワートレインの簡略レイアウト図である。
【図４】図４は、同ハイブリッドパワートレインの簡略レイアウト図である。
【図５】図５は、ギヤボックスの３つのカップリングの動作を示す。
【図６】図６は、制御フィンガの選択及び噛み合いゲートを示す。
【図７】図７は、提示するストラテジのフローチャートである。
【発明を実施するための形態】
【００１３】
図１〜図４は、３つのシャフト及び２つの電気機械を有する、３つの爪カップリングシステムを用いる、ハイブリッド変速機の一例を示す。その作動は、引用する公表文献に示されている。変速機は、３つのアクチュエータ（内燃機関２、主電気機械３、二次電気機械４）と、内燃機関に接続された中実一次シャフト５と、主電気機械３に接続された中空一次シャフト６と、二次シャフト７と、二次電気機械に接続された中間シャフト８とを含む。ギヤ比は、機械的シンクロナイザが提供されない、３つの爪カップリングＣ１、爪カップリングＣ２、爪カップリングＣ３により噛み合う、すなわち：
−中実一次シャフト５上の、一次カップリングＣ１として知られる第１のカップリングは、内燃機関の長いギヤ比ＩＣＥ４と右側にて噛み合い、２つの一次シャフトと左側にて接続されるよう使用される。
−二次シャフト上の、二次カップリングＣ２として知られる第２のカップリングは、２つの電気系ギヤ比ＥＶ１及び電気系ギヤ比ＥＶ２と噛み合うよう使用される。
−中間シャフト８上の、トランスファカップリングＣ３として知られる第３のカップリングは、二次電気機械から、二次シャフト７（右側）又は中空一次シャフト６（左側）へトルクを伝達するよう使用される。
【００１４】
３つのカップリングＣ１、カップリングＣ２、及びカップリングＣ３は、図５にしたがって制御され得る、すなわち：
−二次カップリングＣ２は、カップリングＣ１及びカップリングＣ３とは独立して、作動モータＭ２により平行移動するフィンガ９により制御される。
−カップリングＣ１及びカップリングＣ３は、共通フィンガ１０により、そのフィンガを、カップリングＣ１又はカップリングＣ３の切り欠きに配置する選択モータＭｓと、選択されたカップリングＣ１又はカップリングＣ３を移動させるギヤシフトモータＭｅと、の作動の下で制御される。
【００１５】
変速機は、中実一次シャフト５に接続された内燃機関１からのトルクと、中実一次シャフト５に同心の中空一次シャフト６に接続された主電気機械３からのトルクと、中実及び中空一次シャフト５及び６へのトランスファシャフト８に接続された二次電気機械４からのトルクとを、車両のホイールに向かう共通出力シャフト７上にて、組み合わせる。ギヤ比の変更は、中実一次シャフト５、二次シャフト６、及びトランスファシャフト８の上にそれぞれ配置された３つの爪カップリングＣ１、爪カップリングＣ２、及び爪カップリングＣ３の制御の下で行われる。第１のカップリングＣ１及び第３のカップリングＣ３は、選択モータＭｓにより、第１の方向（Ｙ）に、２つの平行なギヤシフトラインの間を、及び、ギヤシフトモータＭｅにより、第１の方向と直交する第２の方向（Ｘ）に、選択したライン上の２つのギヤの一方又は他方と噛み合うように、移動可能な同フィンガ１０により制御される。
【００１６】
共通フィンガ１０は、図６により示されるＨ形状のゲート上を移動する。このゲートは、フィンガ１０がどのように移動できるかを示す、すなわち：Ｙに沿うと、カップリングＣ１又はカップリングＣ３を選択し、Ｘに沿うと、選択したカップリングが移動する。そのような選択ゲートは、Ｘに沿う位置が「ニュートラル」でない場合に、Ｙ軸に沿ういずれの移動を防止するという事実の点において、提示する制御方法は利点がある。１つのギヤ比からの噛み合いを解除する命令が発行され、待機時間が経過すると、システムは、選択アクチュエータＭｓのＹ軸に沿う移動を要求し、この選択の実際の移動を観察する、すなわち：
−移動がない場合は、又は、移動が不十分である場合は、ニュートラルを確定できず、変速機が故障していると宣言し、特定の噛み合いが承認されない、及び
−移動が十分である場合は、ニュートラルを確定し、ギヤシフトシーケンスのすべてを行うことができる。
【００１７】
一次カップリングＣ１などのカップリングのニュートラル位置を検出する方法は、変速機のニュートラル位置を確定し、ギヤシフトシーケンスを行うことを可能にする。これは続いて、フォーク位置センサが故障していても、承認される。
【００１８】
図１〜図４は、対象の変速機が、４つの、内燃機関のギヤ比ＩＣＥ１〜ギヤ比ＩＣＥ４と、２つの、電気系ギヤ比ＥＶ１及びギヤ比ＥＶ２と、それらのハイブリッド的組み合わせとｆを有することを示す。安全のため、一次爪Ｃ１の位置が不定であると、これらのギヤ比のいくつかが禁止されなければならない。
【００１９】
図１及び図２は、一次爪Ｃ１がニュートラル位置に確実にある場合に承認されるギヤ比を示す、すなわち：それぞれが、図１における第１の内燃機関のギヤ比ＩＣＥ１及び図２における第３の内燃機関のギヤ比ＩＣＥ３である内燃機関のギヤ比ＩＣＥ１及びギヤ比ＩＣＥ３；電気系ギヤ比ＥＶ１及びギヤ比ＥＶ２もまた、二次カップリングＣ２の移動により承認される。そして、２つの電気系ギヤ比ＥＶ１及びギヤ比ＥＶ２の、内燃機関のギヤ比ＩＣＥ１及びギヤ比ＩＣＥ３とのハイブリッド的組み合わせ。
【００２０】
図３及び図４は、一次爪Ｃ１が「不定」位置にあると検出される場合に承認されるギヤ比のみを示す、すなわち：２つの電気系ギヤ比ＥＶ１及びギヤ比ＥＶ２。だたし、内燃機関のギヤ比との、それらのいずれのハイブリッド的組み合わせを除く。
【００２１】
制御ループにおける入力信号は以下の通り：
−Ｃｌａｗ＿ｐｒｉｍ＿ｐｓｎ＿ｖｌｄ：一次シャフト爪位置有効性インジケータ（＝ＮＯＫの場合は０、＝ＯＫの場合は１）、
−Ｓａｆｅｔｙ＿ｃｌａｗ＿ｐｒｉｍ＿ｐｓｎ＿ｖｌｄ：冗長一次シャフト爪位置有効性インジケータ（レベル２の安全性）（＝ＮＯＫの場合は０、＝ＯＫの場合は１）、
−Ｃｌａｗ＿ｐｒｉｍ＿ｐｓｎ＿ｒｅｇ：一次爪位置調節状態（＝非アクティブの場合は０、又は、＝アクティブの場合は１）、
−Ｓｅｌｅｃｔｉｏｎ＿ｐｓｎ：一次爪選択位置測定値（＝低状態の場合は０、＝高状態の場合は１）。
【００２２】
出力信号は以下の通り：
−Ｐｒｉｍ＿ｎｅｕｔ＿ｃｈｒ＿ａｃｔ：ストラテジの状態を示す（＝非アクティブの場合は０、又は、＝アクティブの場合は１）、
−Ｃｌａｗ＿ｐｒｉｍ＿ｐｓｎ＿ｓｐ：一次爪軸位置（ニュートラル又はギヤ比の噛み合い有り）セットポイント、
−Ｓｅｌｅｃｔｉｏｎ＿ｐｓｎ＿ｓｐ：一次爪選択位置セットポイント（フィンガ１０の位置に相当する）（＝低状態の場合は０、＝高状態の場合は１）、
−Ｃｌａｗ＿ｐｒｉｍ＿ｃｈｋ＿ｃｈｒ：ストラテジの結果を示す情報（＝不定位置の場合は０、又は、＝ニュートラル位置の場合は１）、
−Ｉｃｅ＿ｓｗｉｔｃｈ＿ｒｅｑ：内燃機関スイッチオフ要求（＝スイッチオフ要求のない場合は０、又は ＝スイッチオフ要求のある場合は１）。
【００２３】
フィンガ１０により制御されるカップリングＣ１の爪の（Ｘ）に沿う軸位置に関して、信頼できる情報が利用可能でない場合に、承認されるギヤ比の数を制限する、ここに提示する方法は、以下の通り：
−ギヤシフトアクチュエータＭｅを、ニュートラル位置へと開ループ制御することと、
−選択アクチュエータＭｓを、選択位置へと、所与の期間にわたって制御すること。
【００２４】
所望する選択位置に、期間の終わりに到達すると、一次カップリング（Ｃ１）のニュートラル位置もまた確定された後に、変速機のギヤ比のすべてが承認される。反対に、所望する選択位置に、期間の終わりに到達していないと、一次カップリング（Ｃ１）のニュートラル位置が依然として不定である場合に、選択ガイダンスが停止し、カップリング（Ｃ１、Ｃ３）により噛み合うギヤ比はどれも承認されない。
【００２５】
本方法を、図７のフローチャートに詳細に示す。その順序は以下の通り。
【００２６】
ステップ１
一次爪Ｃ１の軸位置測定信号の状態（ニュートラル又はギヤ比の噛み合い有り）が、主制御レベル（Ｃｌａｗ＿ｐｒｉｍ＿ｐｓｎ＿ｖｌｄ）及び冗長制御レベル（Ｓａｆｅｔｙ＿ｃｌａｗ＿ｐｒｉｍ＿ｐｓｎ＿ｖｌｄ）からの有効性インジケータを介してモニタされる。これらの主条件が、アルゴリズムの以降のステップを承認する。
【００２７】
ステップ２
これら２つの有効性インジケータの１つが故障（Ｃｌａｗ＿ｐｒｉｍ＿ｐｓｎ＿ｖｌｄ 又はＳａｆｅｔｙ＿ｃｌａｗ＿ｐｒｉｍ＿ｐｓｎ＿ｖｌｄ＝ＮＯＫ）を示すと、一次爪の軸位置センサに故障があるとみなされる。位置情報は信頼されず、位置は不定であるとみなされる。
【００２８】
ステップ３
信頼できる一次爪の軸位置が利用可能でないため、システムは安全モードに切り替えられる必要があり、一次爪はニュートラル位置へ開ループ制御（Ｃｌａｗ＿ｐｒｉｍ＿ｐｓｎ＿ｓｐ）される必要がある。
【００２９】
ステップ４
システムは、噛み合っている内燃機関のギヤ比（ＩＣＥ２又はＩＣＥ４）からの一次爪の移動の実行時間、そしてこれに加えて安全マージンを含む、較正可能な期間Ｘにわたって待機する。
【００３０】
ステップ５
図中のｓｅｌｅｃｔｉｏｎ（選択）フィンガ１０の選択アクチュエータＭｓが、較正可能な期間Ｙにわたって作動する（Ｓｅｌｅｃｔｉｏｎ＿ｐｓｎ＿ｓｐ＝１）。このストラテジはまた、アクティブであると宣言される（Ｐｒｉｍ＿ｎｅｕｔ＿ｃｈｒ＿ａｃｔ＝１）。
【００３１】
ステップ６
全作動期間をとおして、ｓｅｌｅｃｔｉｏｎ（選択）によるトップ位置に到達することがモニタされる。トップ位置に到達すると（Ｓｅｌｅｃｔｉｏｎ＿ｐｓｎ＝１）：
−選択ガイダンスが即時停止する（Ｓｅｌｅｃｔｉｏｎ＿ｐｓｎ＿ｓｐ＝０及びＰｒｉｍ＿ｎｅｕｔ＿ｃｈｒ＿ａｃｔ＝０）（ステップ６．１．１）、
−一次爪が確実にニュートラル位置にあると宣言される（Ｃｌａｗ＿ｐｒｉｍ＿ｃｈｋ＿ｃｈｒ＝１）（ステップ６．１．２）、
−ハイブリッド（Ｈｙｂ１１／１２／３１／３２）及び内燃機関（ＩＣＥ１又はＩＣＥ３）のギヤ比が承認される（図３を参照）（ステップ６．１．３）、
−ギヤ比が再度解除されると、ストラテジが再開され（ステップ６．１．４）、一次爪（Ｃ１）が、各新たな解除命令において常に確実にニュートラルであるようにする。
【００３２】
期間Ｙの終わりにハイレベルに到達していないと（Ｓｅｌｅｃｔｉｏｎ＿ｐｓｎ＝０）：
−選択ガイダンスが停止する（Ｓｅｌｅｃｔｉｏｎ＿ｐｓｎ＿ｓｐ＝０及びＰｒｉｍ＿ｎｅｕｔ＿ｃｈｒ＿ａｃｔ＝０）（ステップ６．２．１）、
−一次爪が不定位置にあると宣言される（Ｃｌａｗ＿ｐｒｉｍ＿ｃｈｋ＿ｃｈｒ＝０）（ステップ６．２．２）、
−ハイブリッド及び内燃機関のギヤ比のすべてが、一次爪位置センサにおける故障が修理されるまで、禁止される。加えて、内燃機関のスイッチオフが要求される（Ｉｃｅ＿ｓｗｉｔｃｈ＿ｒｅｑ＝１）。
【図１】
2020509962.tif 000003
【図２】
2020509962.tif 000004
【図３】
2020509962.tif 000005
【図４】
2020509962.tif 000006
【図５】
2020509962.tif 000007
【図６】
2020509962.tif 000008
【図７】
2020509962.tif 000009
【国際調査報告】
2020509962.tif 000010
2020509962.tif 000011
2020509962.tif 000012
2020509962.tif 000013
2020509962.tif 000014
2020509962.tif 000015